(57)【要約】  衣類を伸張して乾燥してプレスするシステム（１００）を記載し、当該システム（１００）は衣服ハンガ（２）及び少なくとも一つの伸張装置を含む。そのような伸張装置は、結合−解放手段（３）によって前述の衣服ハンガ（２）に接続される第１ロッド（１）、及び二対のアーム（８）を含む。各対は、第１アーム（８０）及び第２アーム（８１）を含み、当該アームの各々は、個々の定着位置において第１ロッド（１）に接続される第１端部（８２）、及び第１定着位置に対して移動自在である第２端部（８３）を含み、制御される方法で定着位置に接近して又は定着位置から離れて移動するように適用される。伸張装置は、第１ロッド（１）に対して反対側に配置される二つの衣類伸張部品（７）を含む第１伸張手段（７）をさらに含む。伸張部品（７）の各々は、第１ロッド（１）に直交する方向に移動するように、前述の二対のアーム（８）のうちの個々の一対の、二つの移動自在の第２端部（８３）に接続され、伸張部品（７）の各々は、移動自在の第２端部（８３）の移動の結果としてそこから離れて又はそこに接近して移動する。伸張装置は、アーム（８）のうちの前述の移動自在の第２端部（８３）の移動を制御する制御手段（６，１１，１２）をさらに含む。
2018502676.tif 000002
【特許請求の範囲】
【請求項１】
衣服ハンガ（２）及び少なくとも一つの伸張装置を含む、衣類を伸張して乾燥してプレスするシステム（１００）であって、前記伸張装置は、
結合−解放手段（３；２７）によって前記衣服ハンガ（２）に接続される第１ロッド（１；２６）と、
二対のアーム（８；２２）であって、各対は、第１アーム（８０）及び第２アーム（８１）を含み、各対の二つのアームの各々は、個々の定着位置において第１ロッド（１）に接続される第１端部（８２）と、及び前記第１定着位置に対して移動自在であり、制御される方法で定着位置に接近して又は固定位置から離れて移動するように適用される第２端部（８３）とを含む、二対のアーム（８；２２）と、
前記第１ロッド（１；２６）に対して反対側に配置される、二つの衣類伸張部品（７；２１）を含む第１伸張手段（７；２１）であって、前記伸張部品（７；２１）の各々は、前記第１ロッド（１；２６）に直交する方向に移動するように、前記二対のアーム（８；２２）のうちの個々の一対の二つの移動自在の第２端部（８３）に接続され、それによって、前記伸張部品（７；２１）の各々は、前記移動自在の第２端部（８３）の前記移動の結果としてそこから離れて又はそこに接近して移動する、第１伸張手段（７；２１）と、
前記アーム（８；２２）のうちの前記移動自在の第２端部（８３）の移動を制御する制御手段（６，１１，１２）と、を含む、
システム。
【請求項２】
前記第１伸張手段（７；２１）は、前記アーム（８；２２）の前記移動に起因する、前記伸張部品（７；２１）の前記移動に応じるように、前記第１ロッド（１；２６）の軸に実質的に直交する方向に、個々の側部において前記衣類を突っ張るように構成される、請求項１に記載のシステム（１００）。
【請求項３】
前記衣類を保持して、前記第１ロッド（１）の軸に対して実質的に平行な方向に突っ張って、前記衣服ハンガ（２）から離れるように構成される第２伸張手段（４，５）をさらに含む、請求項１又は請求項２に記載のシステム（１００）。
【請求項４】
各アーム（８）は、制御自在な方法で、折り畳み位置、若しくは延伸位置、又は前記折り畳み位置と前記延伸位置との間の複数の中間位置につくように構成され、このとき、前記第１ロッド（１）からの個々の距離における前記伸張部品（７）の個々の位置は、前記アーム（８）の各位置に対応する、請求項１〜３のいずれか一記載のシステム（１００）。
【請求項５】
前記二対のアームの前記第１アーム（８０）及び第２アーム（８１）の各々は、中間継手（８６）によって互いに関節接合される二つのハーフアーム（８４，８５）を含み、このとき、第１ハーフアーム（８４）は、前記第１端部（８２）及び前記中間継手（８６）に回転自在に接続され、第２ハーフアーム（８５）は、前記中間継手（８６）に回転自在に接続されて前記移動自在の第２端部（８３）を含み、
前記伸張部品（７）は、前記第１ロッド（１）に直交する方向に移動するように、個々に、前記二対のアーム（８）のうちの個々の一対の、前記二つの移動自在の第２端部に摺動自在に接続されて、それによって、前記伸張部品（７）は、前記移動自在の第２端部（８３）の前記移動の結果としてそこから離れて又はそこに接近して移動し、
前記制御手段（６）は、前記第１ハーフアーム（８４）を直接作動するように構成され、前記第１ハーフアーム（８４）は、前記第２ハーフアーム（８５）を移動するように構成され、その結果、前記アーム（８）の折り畳み位置において、前記第１ハーフアーム（８４）及び前記第２ハーフアーム（８５）は、互いに近接し前記第１ロッド（１）に対して実質的に平行であり、前記アーム（８）の延伸位置において、前記二つのハーフアーム（８４，８５）は、前記第１ロッド（１）に実質的に直交する方向に延伸する、請求項４に記載のシステム（１００）。
【請求項６】
前記中間継手（８６）は逆移動継手（８６）である、請求項５に記載のシステム（１００）。
【請求項７】
前記二対のアーム（８）は、回転自在に折り畳み可能なアームを含み、各対は、個々の定着位置において、前記第１ロッド（１）に回転自在に接続される第１アーム（８０）及び第２アーム（８１）を含み、各アーム（８）は、定着位置に対して制御される方法で回転するように適用され、このとき、前記個々のアーム（８）の回転の結果として、前記アームの前記移動自在の第２端部（８３）は、その移動を行うように適用され、
前記伸張部品（７）は、前記第１ロッド（１）に直交する方向に移動するように、個々に、前記二対のアーム（８）のうちの個々の一対の前記二つの移動自在の第２端部（８３）に摺動自在に接続されて、それによって、前記伸張部品（７）は、前記移動自在の第２端部（８３）の前記移動の結果としてそこから離れて又はそこに接近して移動し、
前記制御手段（６）は、前記アーム（８）の回転移動を制御するように構成される、
請求項４に記載のシステム（１００）。
【請求項８】
前記折り畳み位置において、前記アーム（８）は前記第１ロッド（１）に対して実質的に平行であり、
前記延伸位置において、前記アーム（８）は前記第１ロッド（１）に実質的に直交する、
請求項７に記載のシステム（１００）。
【請求項９】
前記二対のアームは伸縮自在アームを含み、各対は第１及び第２伸縮自在アームを含み、ここで、前記伸縮自在の移動のときに、個々の移動自在の第２端部は、前記第１ロッドに直交して変換するように適用され、
前記移動自在の第２端部の前記伸縮自在の移動の結果として、前記伸張部品は、前記第１ロッドに直交する方向に移動するように適用され、
前記制御手段は、前記アームの伸縮自在の移動を制御するように構成される、
請求項４に記載のシステム（１００）。
【請求項１０】
各アームは、前記アームの第２端部が前記アームの第１端部に近接するクローズした位置から、前記アームが前記第１ロッドに実質的に直交する方向で最大の長さに到達する延伸位置まで、伸縮自在に延伸するように構成される、請求項９に記載のシステム（１００）。
【請求項１１】
前記第１ロッド（１）に関して一方の側部に配置される、前記二対のアームの二つの第１アーム（８）は、アームの第１Ｘ字構造を形成するようにその中間部分において互いに接続され、このとき、前記第１アームの第１端部の一方は前記第１ロッド（１）に固定され、前記第１アームの第１端部の他方は前記第１ロッド（１）に摺動自在に接続され、前記第１アームの二つの第２端部は、前記第１アームと同じ側部に配置される前記伸張部品（７）に、少なくとも一方が摺動自在に接続され、
前記第１ロッド（１）に対して他方の側部に配置される、前記二対のアームの二つの第２アーム（８）は、アームの第２Ｘ字構造を形成するようにその中間部分において互いに接続され、このとき、前記第２アームの第１端部の一方は前記第１ロッド（１）に固定され、前記第２アームの第１端部の他方は前記第１ロッド（１）に摺動自在に接続され、前記第２アームの二つの第２端部は、前記第２アームと同じ側部に配置される前記伸張部品（７）に、少なくとも一方が摺動自在に接続される、
請求項４に記載のシステム（１００）。
【請求項１２】
複数の、アームの前記第１及び第２Ｘ字構造を含む、請求項１１に記載のシステム（１００）。
【請求項１３】
前記アームの回転移動を制御する前記制御手段は、
前記第１ロッド（１）の外側又は内側に配置されて、前記アーム（８）の定着位置に対して衣服ハンガ（２）からさらに離れた位置に、摺動自在に接続される摺動部品であって、前記摺動部品は、前記第１ロッド（１）の所望の位置でブロック自在でもある、摺動部品と、
前記摺動部品と前記アーム（８）との間の、前記摺動部品の移動のときに前記アーム（８）の回転を引き起こすように適用される、接続スポーク又はバネと、
をさらに含む、請求項４に記載のシステム（１００）。
【請求項１４】
一方の一対のアーム（８）と他方の一対のアーム（８）との間の、他方の一対のアーム（８）の移動の結果として一方の一対のアーム（８）を移動するように適用される、剛性接続部品をさらに含む、請求項１〜１３のいずれか一に記載のシステム（１００）。
【請求項１５】
前記第２の伸張手段（４，５）は、
前記二対のアーム（８）の前記定着位置に対して前記衣服ハンガ（２）からさらに離れた位置において、前記衣服ハンガ（２）に接近して又は前記衣服ハンガ（２）から離れて移動するべく前記第１ロッドに沿って移動するように、前記第１ロッド（１）に直交して配置されて前記第１ロッド（１）に対して摺動自在に接続される、第２ロッド（４）と、
前記第２ロッド（４）上に配置され、前記衣類を保持して、前記第１ロッド（１）の軸に対して実質的に平行な方向に突っ張るように構成される、前記衣類を固定する二つの留め部品（５，４）と、を含む請求項３〜１４のいずれか一に記載のシステム（１００）。
【請求項１６】
前記第２ロッドは、二つのハーフロッドを含み、前記ハーフロッドの各々は、前記個々のアームの移動の結果として直角定規方式でオープンし又はクローズするように個々のアームに摺動自在に接続され、前記二つの留め部品の各々は、個々のハーフロッドに配置される、請求項１５に記載のシステム（１００）。
【請求項１７】
前記第２伸張手段は、前記衣服ハンガによって支持されることを意図している側部の反対の、衣類の側部に固定することができる少なくとも二つの錘を含み、前記二つの錘は、前記第１ロッド（１）の軸に対して実質的に平行な方向に、重力の影響により前記衣類を突っ張るように適用される、請求項３〜１４のいずれか一に記載のシステム（１００）。
【請求項１８】
前記錘の各々は、固定ペグと、前記固定ペグに取り付ける金属錘とを含む、請求項１７に記載のシステム（１００）。
【請求項１９】
前記錘の各々は、固定ペグと、砂又は他の材料を充填することができるバッグ又は袋とを含む、請求項１７に記載のシステム（１００）。
【請求項２０】
前記伸張部品（７；２１）は、衣類のタイプ及び前記伸張に対して前記衣類が有する反動力によって、互いに平行な、かつ前記第１ロッド（１；２６）に対して平行な位置、又は前記第１ロッド（１；２６）に対して実質的に対称であるように傾いた位置につくように構成される、請求項１〜１９のいずれか一に記載のシステム（１００）。
【請求項２１】
各アームの前記移動自在の第２端部（８３）は、
前記アーム（８）と前記個々の伸張部品（７）との間において相互に摺動することを可能にするように適用される端部継手（８３）と、
衣類のタイプ及び前記伸張に対して前記衣類が有する反動力によって、前記アーム（８）及びテンション部品（７）の相互の傾斜を調整するように適用される、予備テンションバネ部品（８７）と、を含む、請求項２０に記載のシステム（１００）。
【請求項２２】
前記第１ロッド（１）は、剛性中空ロッド（１）を含み、
四つのアーム（８）の各々は、個々のピンによって前記第１ロッド（１）に定着して、前記アームの回転を引き起こすように適用される第１回転機構（９）を含み、
前記二つの伸張部品（７）の各々は、関節継手によって前記アーム（８）の個々の第２端部に接続される個々のさらなる剛性ロッド（７）を含み、
前記アーム（８）の回転移動を制御する前記制御手段（６）は、
前記剛性中空ロッド（１）の内部に挿入される剛性制御ロッド（１２）と、
前記剛性制御ロッドに接続されて前記剛性中空ロッド（１）の外側に突出する把持装置又はブロッキング装置（１１）と、
前記剛性制御ロッド（１２）に係合されて又は取得されて、前記把持装置又はブロッキング装置（１１）に伝わる機械移動によって、前記アーム（８）の回転を決定するべく協働するように、前記アーム（８）の前記第１回転部品（９）に操作自在に接続される第２回転機構（６）と、を含む、請求項１〜２１のいずれか一に記載のシステム（１００）。
【請求項２３】
前記第１ロッド（１）及び／若しくは前記第２ロッド（４）及び／若しくは前記伸張部品（７）は、個々の伸縮自在ロッドを含み、並びに／又は
前記アーム（８）の各々は、伸縮自在アームを含む、請求項１〜２２のいずれか一に記載のシステム（１００）。
【請求項２４】
個々の結合手段（２７）によって、前記衣服ハンガ（２）に結合することができる二つの前記伸張装置を含み、このとき、
前記伸張装置の各々の前記二つの伸張部品（２１）の各々は、前記衣服ハンガ（２）に向かう湾曲を伴う側部ローレットアーム（２１）を含み、前記二つの側部ローレットアームは、前記システムの垂直中間軸を鏡映するように配置され、
前記四つのアーム（２２）の各々は、個々の側部接続アーム（２４）によって、前記側部ローレットアーム（２１）のうちの一つに接続され、
各対のアーム（２２）は、個々の円弧アーム（２３ａ）及び個々の中空中間アーム（２３）によって、前記第１ロッド（２６）に接続される、請求項１に記載のシステム（１００）。
【請求項２５】
前記衣服ハンガ（２）又は前記第１ロッド（１）に結合することができる、Ｕ字形状で他方上に一方を連結自在である二つの剛性モールドと、
二つの重なり合う半剛性プラスチックストリップであって、当該ストリップの一つは平らであり一つは前記端部においてＵ字のように湾曲し、前記衣服ハンガ（２）又は前記第１ロッドに回転自在に接続することができる、半剛性プラスチックストリップと、をさらに含む請求項１〜２４のいずれか一に記載のシステム（１００）。
【発明の詳細な説明】
【技術分野】
【０００１】
本発明は、衣類を伸張して乾燥してプレスして収容するシステム及び装置の分野に関する。特に、本発明は、電気エネルギの補助を要しないプレスシステム及び装置に関する。
【背景技術】
【０００２】
あらゆる家庭内の及び産業上の状況において、衣類を伸張してプレスして収容することができる装置に関して、出願人は、単一の構造によって上に示したすべての機能を実行するように適用される、そのようなタイプの装置を、現在、承知していない。
【０００３】
プレスのみに関しては、家庭用のアイロン及び垂直スチームプレス、並びに産業用の様々なプレス機械が知られている。
【発明の概要】
【発明が解決しようとする課題】
【０００４】
上に示した周知のシステムの欠点に、とりわけ、電気エネルギを消費すること、及びプレス作業者を必要とすることが含まれ、また、当該プレス作業者の時間及びエネルギを使用することが含まれる。
【０００５】
さらに、従来の方法によって生成される直接の熱は、多くのプレス操作の後には、長期的には衣料品を損傷させることがある。
【０００６】
家庭と産業との両方のレベルにおいて、周知のアイロンやプレス機械は、特定の危険を伴うことがあり、無視することができないコストを暗示することがある。さらに、それらは、乾燥した物品の即時の梱包又はその位置決めのためだけでなく、プレス前に保管をすること及び装置を保管することの両方のためにも、広々としたスペースを占有することを伴う。
【０００７】
上記に鑑み、本発明の目的は、前述のニーズを満たすことを可能にして、周知技術を参照して上に示した欠点を、少なくとも部分的に取り除くことができる、改良された伸張プレスシステムを考案し利用できるようにすることである。
【０００８】
より具体的には、本発明の目的は、電気エネルギを利用することなく操作することができ、職員がプレスを行う必要がなく、衣料品に摩耗を生じさせることがなく、家庭内の及び産業上の危険がなく（このことは、子供又は障害のある個人にも使い易くする）、スペース要件が非常に小さく、さらに価格が手頃であり誰にでも使用できるような、伸張プレスシステムを提供することである。
【課題を解決するための手段】
【０００９】
そのような目的を、請求項１に記載のシステムによって達成する。
【００１０】
そのようなシステムのさらなる実施形態を、従属請求項２〜２５に規定する。
【００１１】
本発明に係る、衣類を伸張して乾燥してプレスして収容するシステムのさらなる特徴及び利点は、添付の図面を参照して、限定するものではない例示としてのみ与える、その好適な実施形態の以下の説明から明らかになるであろう。
【図面の簡単な説明】
【００１２】
【図１】図１は、本発明の一実施形態に係る、システムの正面図を示す。
【図２】図２は、本発明の別の実施形態に係る、システムの正面図を示し、当該システムは、独立していてもよいし、図１に記載するものと組み合わせてもよい。
【図３Ａ】図３Ａは、個々に、クローズした状態、部分的にオープンした状態、及び完全にオープンした状態にある、本発明のさらに別の実施形態に係る、システムの個々の正面図を示す。
【図３Ｂ】図３Ｂは、個々に、クローズした状態、部分的にオープンした状態、及び完全にオープンした状態にある、本発明のさらに別の実施形態に係る、システムの個々の正面図を示す。
【図３Ｃ】図３Ｃは、個々に、クローズした状態、部分的にオープンした状態、及び完全にオープンした状態にある、本発明のさらに別の実施形態に係る、システムの個々の正面図を示す。
【図４】図４は、本発明のさらに別の実施形態に係る、システムの正面図を示す。
【発明を実施するための形態】
【００１３】
図１及び図３Ａ〜３Ｃを参照して、衣服ハンガ２及び少なくとも一つの伸張装置を含む、衣類を伸張して乾燥してプレスするシステム１００を記載する。
【００１４】
そのような伸張装置は、結合−解放手段３によって前述の衣服ハンガ２に接続される第１ロッド１、及び二対のアーム８を含む。各対は、第１アーム８０及び第２アーム８１を含み、当該アームの各々は、個々の定着位置において第１ロッド１に接続される第１端部８２、及び第１定着位置に対して移動自在である第２端部８３を含み、制御される方法で定着位置に接近して又は定着位置から離れて移動するように適用される。
【００１５】
伸張装置は、第１ロッド１に対して反対側に配置される二つの衣類伸張部品７を含む第１伸張手段７をさらに含む。伸張部品７の各々は、第１ロッド１に直交する方向に移動するように、前述の二対のアーム８のうちの個々の一対の、二つの移動自在の第２端部８３に接続され、それによって、伸張部品７の各々は、移動自在の第２端部８３の移動の結果としてそこから離れて又はそこに接近して移動する。
【００１６】
伸張装置は、アーム８のうちの前述の移動自在の第２端部８３の移動を制御する制御手段６，１１，１２をさらに含む。
【００１７】
「衣類」は、プレスを要することがある、衣料品又は布地で作られる物の、任意の物品を意味し得ることが注目に値する。様々なタイプの衣料品をプレスすることに関する具体例を、本明細書においてより詳細に以下に示す。
【００１８】
システムの典型的な使用によれば、前述の第１伸張手段７は、アーム８の移動に起因する、伸張部品７の移動に応じるように、第１ロッド１の軸に実質的に直交する方向に、個々の側部において衣類を突っ張るように構成される。
【００１９】
一実施形態に従って、システムは、衣類を保持して、第１ロッド１の軸に対して実質的に平行な方向に突っ張って、衣服ハンガ２から離れるように構成される、第２伸張手段４，５をさらに含む。
【００２０】
システムを実施する選択例によれば、アーム８の各々は、制御自在な方法で、折り畳み位置、若しくは延伸位置、又は前述の折り畳み位置と延伸位置との間の複数の中間位置につくように構成される。第１ロッド１からの個々の距離における伸張部品７の個々の位置は、アーム８の各位置に対応する。
【００２１】
図３Ｂ及び３Ｃに示すシステムの一実施形態によれば、二対のアームの前述の第１アーム８０及び第２アーム８１の各々は、中間継手８６によって互いに関節接合される二つのハーフアーム８４，８５を含み、当該二つのハーフアーム８４，８５において、第１ハーフアーム８４は、第１端部８２及び中間継手８６に回転自在に接続され、第２ハーフアーム８５は、中間継手８６に回転自在に接続されて移動自在の第２端部８３を含む。
【００２２】
前述の伸張部品７は、第１ロッド１に直交する方向に移動するように、個々に、前述の二対のアーム８のうちの個々の一対の、二つの移動自在の第２端部８３に摺動自在に接続されて、それによって、伸張部品７は、移動自在の第２端部８３の移動の結果としてそこから離れて又はそこに接近して移動する。
【００２３】
制御手段は、第１ハーフアーム８４を直接作動するように構成され、第１ハーフアーム８４は、第２ハーフアーム８５を移動するように構成され、その結果、アーム８の折り畳み位置において、第１ハーフアーム８４及び第２ハーフアーム８５は、互いに近接し第１ロッド１に対して実質的に平行となり、アーム８の延伸位置において、二つのハーフアーム８４，８５は、第１ロッド１に実質的に直交する方向に延伸する。
【００２４】
前述の中間継手８６は、例えば、逆移動継手８６である。
【００２５】
図３Ａ，３Ｂ，３Ｃは、それぞれに、アームが、折り畳み位置、部分的に延伸した位置、及び完全に延伸した位置に在る、上述の実施形態に係るシステムの個々の正面図を示すことが注目に値する。
【００２６】
図１に示すシステム１００の別の実施形態によれば、二対のアーム８は、回転自在に折り畳み可能なアームを含む（アームの延伸位置は実線で示し、折り畳み位置は点線で示す）。各対は、個々の定着位置において、第１ロッド１に回転自在に接続される第１アーム８０及び第２アーム８１を含む。アーム８の各々は、定着位置に対して制御される方法で回転するように適用され、個々のアーム８の回転の結果として、各アームの移動自在の第２端部８３は、その移動を行うように適用される。
【００２７】
前述の伸張部品７は、第１ロッド１に直交する方向に移動するように、個々に、二対のアーム８のうちの個々の一対の二つの移動自在の第２端部８３に摺動自在に接続されて、それによって、伸張部品７は、移動自在の第２端部８３の前記移動の結果としてそこから離れて又はそこに接近して移動する。
【００２８】
制御手段６，１１，１２は、アーム８の回転移動を制御するように構成される。
【００２９】
実施例によれば、折り畳み位置において、アーム８は第１ロッド１に対して実質的に平行である。延伸位置において、アーム８は第１ロッド１に実質的に直交する。
【００３０】
システム１００のさらに別の実施形態に従って、二対のアームは伸縮自在アームを含む。各対は第１及び第２伸縮自在アームを含み、伸縮自在の移動のときに、個々の移動自在の第２端部は、第１ロッド１に直交して移動するように適用される。
【００３１】
移動自在の第２端部の伸縮自在の移動の結果として、前述の伸張部品は、第１ロッドに直交する方向に移動するように適用される。そのような場合、制御手段は、アームの伸縮自在の移動を制御するように構成される。
【００３２】
一つの実施の選択例において、各アームは、アームの第２端部がアームの第１端部に近接するクローズした位置から、アームが第１ロッドに実質的に直交する方向に最大の長さに到達する延伸位置まで、伸縮自在に延伸するように構成される。
【００３３】
システム１００の別の実施形態によれば、第１ロッド１に対して一方の側部に配置される二対のアームの二つの第１アーム８０は、アームの第１Ｘ字構造を形成するようにその中間部分において互いに接続され、このとき、第１アームの第１端部の一方は第１ロッド１に固定され、第１アームの第１端部の他方は第１ロッド１に摺動可能に接続され、第１アームの二つの第２端部は、第１アームと同じ側部に配置される伸張部品７に、少なくとも一方が摺動可能に接続される。
【００３４】
第１ロッド１に対して他方の側部に配置される、二対のアームの二つの第２アーム８は、アームの第２Ｘ字構造を形成するようにその中間部分において互いに接続され、このとき、第２アームの第１端部の一方は第１ロッド１に固定され、第２アームの第１端部の他方は第１ロッド１に摺動自在に接続され、第２アームの二つの第２端部は、第２アームと同じ側部に配置される伸張部品７に、少なくとも一方が摺動可能に接続される。
【００３５】
実施の選択例によれば、システム１００は、複数の、アームの前述の第１及び第２Ｘ字構造を含んでもよい。
【００３６】
システム１００の別の実施形態に従って、アームの回転移動を制御する制御手段は、第１ロッド１の外側又は内側に配置されて、アーム８の定着位置に対して衣服ハンガ２からさらに離れた位置で、第1ロッドに摺動自在に接続される摺動部品であって、第１ロッド１の所望の位置でブロック自在でもある、摺動部品をさらに含む。制御手段は、そのような摺動部品とアーム８との間に、摺動部品の移動のときにアーム８の回転を引き起こすように適用される、接続スポーク又はバネをさらに含む。
【００３７】
一つの実施の選択例において、システム１００は、一方の一対のアームと他方の一対のアームとの間に、他方の一対のアームの移動の結果として一方の一対のアームが移動するように適用される、剛性接続部品をさらに含む。
【００３８】
システム１００のさらなる実施形態に従って、第２伸張手段４，５は、第２ロッド４と、衣類を固定する二つの留め部品５とを含む。二対のアーム８の定着位置に対して衣服ハンガ２からさらに離れた位置において、衣服ハンガ２に接近して又は衣服ハンガ２から離れて移動するために第１ロッドに沿って移動するように、第２ロッド４は、第１ロッド１に直交して配置されてそこに摺動自在に接続される。衣類を固定する二つの留め部品５は、第２ロッド４上に配置され、衣類を保持して、第１ロッド１の軸に対して実質的に平行な方向に突っ張るように構成される。
【００３９】
特定の実施例において、第２ロッドは、二つのハーフロッドを含み、当該ハーフロッドの各々は、個々のアームの移動の結果として直角定規方式でオープンし又はクローズするように個々のアームに摺動自在に接続され、二つの留め部品の各々は、個々のハーフロッド上に配置される。
【００４０】
システム１００の別の実施形態によれば、第２伸張手段は、衣服ハンガによって支持されることを意図している側部の反対側の、衣類の側部に固定することができる少なくとも二つの錘を含む。そのような二つの錘は、第１ロッド１の軸に対して実質的に平行な方向に、重力の影響により衣類を突っ張るように適用される。
【００４１】
異なる実施例において、錘の各々は、固定ペグと、固定ペグに取り付ける金属錘とを含む。若しくは、固定ペグと、砂又は他の材料を充填することができるバッグを含む。
【００４２】
異なる可能な実施形態の選択例によれば、伸張部品７は、衣類のタイプ及び伸張に対して衣類が有する反動力によって、互いに平行かつ第１ロッド１に対して平行な位置に、又は第１ロッド１に対して実質的に対称であるように傾いた位置につくように構成される。
【００４３】
一つの実施例において、各アームの移動自在の第２端部８３は、アーム８と個々の伸張部品７との間において相互に摺動することを可能にするように適用される端部継手８３と、衣類のタイプ及び伸張に対して衣類が有する反動力によって、アーム８及び伸張部品７の相互の傾斜を調整するように適用される、（例えば、図３Ａ〜３Ｃにおいて示す）予備テンションバネ部品８７と、を含む。
【００４４】
特定の実施形態において、第１ロッド１は、剛性中空ロッド１を含む。四つのアーム８の各々は、個々のピンによって第１ロッド１に定着して、アームの回転を決定するように適用される第１回転機構９を含む。二つの伸張部品７の各々は、関節継手によってアーム８の個々の第２端部に接続される個々のさらなる剛性ロッド７を含む。
【００４５】
そのような場合において、アームの回転移動を制御する制御手段は、剛性中空ロッド１の内側に挿入される剛性制御ロッド１２と、剛性制御ロッドに接続されて剛性中空ロッド１の外側に突出する把持装置又はブロッキング装置１１と、前記剛性制御ロッド１２に係合されて又は取得されて、把持装置又はブロッキング装置１１に伝わる機械移動によって、アーム８の回転を決定するべくそれと協働するように、アーム８の第１回転部品９に操作自在に接続される第２回転機構６と、を含む。
【００４６】
可能な実施の変形例によれば、第１ロッド１及び／若しくは第２ロッド４及び／若しくは伸張部品７は、個々の伸縮自在ロッドを含み、並びに／又は、前述のアーム８の各々は、伸縮自在アームを含む。
【００４７】
一実施形態において、システム１００は、個々の結合手段２７によって衣服ハンガ２に結合することができ、又は（図２に示すように）独立して使用することができる上述のタイプの二つの伸張装置を含む。伸張装置の各々の二つの伸張部品２１の各々は、衣服ハンガ２に向かう湾曲を伴う側部ローレットアーム２１を含む。そのような二つの側部ローレットアーム２１は、システムの垂直中間軸を鏡映するように配置される。さらに、四つのアーム２２の各々は、個々の側部接続アーム２４によって、側部ローレットアーム２１のうちの一つに接続され、各対のアーム２２は、個々の円弧アーム２３ａ及び個々の中空中間アーム２３によって、第１ロッド２６に接続される。
【００４８】
実施例によれば、システム１００は、衣服ハンガ２又は第１ロッド１に結合することができる、Ｕ字形状に他方上に一方を連結自在である二つの剛性モールドと、二つの重なり合う半剛性プラスチックストリップであって、そのうちの一つは平らであり一つは端部においてＵ字のように湾曲し、衣服ハンガ２又は第１ロッドに回転自在に接続することができる、半剛性プラスチックストリップと、をさらに含む。
【００４９】
本発明に係る、伸張して乾燥してプレス（アイロン掛け）するシステムを使用する特定の実施形態及び例を、非限定的な例として、以下に、より詳細に記載する。
【００５０】
特に図１を参照して示す、トルソのための衣料品（ジャージ、Ｔシャツ、シャツなど）のプレス。
ａ）装置の部品。
装置は、剛性かつ中空の中央ロッド１と、衣服ハンガ２と、ロッド−衣服ハンガ接続部品３と、中央ロッドに直交するロッド４と、布地を保持して又は突っ張るように適用される部品５（例えば、ペグ）と、アーム８の個々の端部において個々のアーム機構９に接続されるときに、任意のタイプの移動、例えば、回転、牽引などを伝達することを可能にする接続及び移動機構６と、を含む。
【００５１】
各接続及び移動機構６は、アームの回転に直接的に作用することを可能にする機構、例えば、中央ロッドの中空部分の内部で自在に回転する剛性ロッド、又は中央ロッドの中空部分を通るストリング、又はアーム上に直接取得される調整機構、によって等価的に置き換えることができる。
【００５２】
図１の装置は、二つの剛性側部ロッド７も含む。四つのアームの各々は、一方の端部において、機構、例えば、ガイドされる回転を引き起こすことができるリングギアを備え、他方の端部において、スイベル継手、例えば、ヒンジを備える。アーム８は、剛性ロッド７が可能な限り最良な方法で布地の壁に密接できるように、曲げ可能に適用されるスイベルを備えることができる。剛性中央ロッド１の内側を自在に通る又は回転する、別の剛性ロッド、又はアームに直接取得されるストリング若しくは調整機構のシステム、又はアームに配置される機構に移動を伝達するように適用され、ユーザにアクセスする、ノブ又はスロットルレバー又は任意のブロッキングシステム１１で支持体が終端となる、他の部品がある。
【００５３】
ｂ）部品の配置と装置の操作。
衣服ハンガ２は、剛性かつ中空の中央ロッド１に接続される。中央ロッド１と衣服ハンガ２との間のロッド−衣服ハンガ接続部品３は、衣服ハンガを軸上に常に維持し、中央ロッドに対して常に剛性を維持するように構成される。中央ロッド及び衣服ハンガは、機構によって分離可能である。中央ロッド１に直交し、中央ロッド１に直交して剛性をもって自在に摺動するロッド４は、衣服ハンガの反対側において中央ロッド１上に配置される。中央ロッドに直交するようなロッドには、布地を保持して又は突っ張ることができる二つの部品５、例えば、その各々は吊り下げられてプレスされるべき物品に対して適切な大きさである、ペグが配置される。四つのアーム８は、接続及び移動機構６が全て中央ロッド１に面するように、中央ロッド１の左及び右に関して対称的であるように各側部に二つ配置される。そのような機構６は、それらを中央ロッド１に強固に固定するように適用された剛性構造によってその台座に維持される。特有の支持体は、ノブ若しくはスロットルレバー又はブロッキングシステム１１によって伝わる回転移動又は牽引移動を、アームが回転するように接続及び移動機構６に伝達し、アームの端部に配置されるスイベル継手を中央ロッドに関して外側に移動する。二つの剛性ロッド７は、スイベル継手に接続され、一方は中央ロッド１に対して左側の二つのアームに接続され、他方は右側の二つのアームに接続される。回転移動は、剛性ロッド７を、中央剛性ロッド１から次第に離れた位置に押し込み、それによって、当該剛性ロッド７を、プレスされる衣料品に密着させる。このようにして、衣料品は、緯糸及び経糸の二つの標準的な方向に完全に張り詰めて伸張する。従って、そのような位置において、衣類は元々有していた形状を取り戻し、それによって、完全にプレスされる。
【００５４】
衣服ハンガ２に関して、衣服ハンガ２は一般的な衣服ハンガであってもよいことが注目に値する。
【００５５】
実施の変形例において、衣服ハンガ２は、折り畳み容易な特別な特徴を有する、折り畳み可能な衣服ハンガである。そのような場合において、当該衣服ハンガは、規定の形状を保つことができて水平曲げに対する弾性の特性を有する任意の材料（例えば、プラスチック材料）からなる衣服ハンガの二つの部分と、さらに、回転ピンと、に分割することができる。ピンと接合する衣服ハンガの二つの部分は、周知の衣服ハンガの形状を形成する。
【００５６】
モデルは、右利き及び左利きの人々が両方、使用することができる。例えば、右利きの人による使用を参照すると、正面から見た衣服ハンガは、衣服ハンガの半分よりもサイズが小さい左手部分を備え、その上部には方向が水平な位置に対して僅かに傾斜する刻み目を備える。また、正面から見た衣服ハンガは、衣服ハンガの半分よりも僅かにサイズが大きい右手部分を備え、その上部には方向が水平な位置に対して僅かに傾斜する刻み目を備える。右手部分の刻み目は、噛み合わせることによって、（オス−メス接続のように）左手部分の刻み目の下に正確に配置される。
【００５７】
二つの部分は、刻み目の下の部分に配置されるピンによって接合される。当該ピンには、リベット又はピンによるはめ込み固定を有するオス−メス結合が好適である。
【００５８】
衣服ハンガは、一旦、刻み目を噛み合わせると、衣服ハンガ上に配置され得る任意のタイプの衣服の重量を支えることができる単一物である。
【００５９】
衣服ハンガをオープンするためには、二つの他の指で衣服ハンガの右手部分を保持して、右手の親指を置き、衣服ハンガの左手部分の刻み目の側部に圧力を掛ければ十分である。親指の加圧移動は、衣服ハンガの左手半分の刻み目を、対応する右手部分から解放することを可能にする。手の右方向の回転移動に付随して起こるそのような刻み目の分離は、衣服ハンガがそのピン上で回転することを可能にする。ピン上で回転させると、衣服ハンガの二つの、左手の及び右手の、端部が、互いに接近して移動し、そのことにより、極めて容易に、ネックから抜け出ることを可能にする。
【００６０】
前述した最後の回転移動とは逆方向の、ピン上での単純な回転移動により、衣服ハンガを元の形状に戻すことができ、メス−オスの刻み目を噛み合わせると、一般的な衣服ハンガのようにいつでも使用することができる。その重ね合わせ位置を刻み目上に見つけ出すための左手部分上のガイドを作成するために、結合するのに左手部分の刻み目が備えなければならない位置に近接する右手部分上に、一つ又は二つのタブを配置することが可能である。
【００６１】
左利きの人々に対しては、使用するモデルの部分を逆にするだけで十分である。
【００６２】
上述したように、親指のさらなるガイドを進める把持を有するように刻み目に適用される、人間工学的な親指形の補強体によって、オス−メスの刻み目の固定−解放が促進されてもよい。
【００６３】
それ自体が周知の様々なタイプの解放（例えば、「ボタン解放」、「補強リップ解放」など）を使用することができる。
【００６４】
さらに、一実施の変形例において、左側部分の刻み目は、ハーフカウンターリングによって置き換えられ、右手側部の刻み目は、ハーフリングによって置き換えられる。それによって、衣服ハンガに様々な安定した傾きを与えることが可能である。実際に、ユーザは、リング内の歯のいずれか一つにおいて、カウンターリングをブロックするように選択することができる。リングは複数の歯を備えるので、様々な角度で衣服ハンガをブロックすることができる。様々な角度のために衣服ハンガは様々な形状を有することができ、それによって、そこに吊るされる物品の形状に最も適合することができる。
【００６５】
ｃ）サイズの変形例。
プレスシステムの全てのアーム８及び全ての前述のロッド１，４，６，７は、伸縮自在に製造されてもよい。当然のことながら、全ての機構、継手、ピン及び結合部は、可能な限り伸ばすことを行うものではない。アーム及びロッドの長さを単一の移動で伸ばすことが可能であり、それによって、衣服バレット（ｃｌｏｔｈｅｓ  ｖａｌｅｔ）を通常の形状に戻して使用する準備ができる。小さいサイズは、システムを旅行に持ち出すのに好適にするなどの（例えば、スーツケース内の）あり得る様々なサイズのうちのものである。
【００６６】
ｄ）オープンシステムの変形例。
既に述べた様々な実施形態において、システムのオープン及びクローズは、「傘オープン」、「回転ホイールオープン」、「短縮傘オープン」、「ダブル衣服ハンガオープン」、「バネオープン」、「Ｌ字オープン」を含む様々な方法を含み得る。
【００６７】
「傘オープン」：上述の接続及び移動機構６の代わりに、「傘」オープンシステムが用いられる。その場合において、直交ロッド４に最も近いアーム８の底部に配置される小さい摺動部品が中央ロッド１に巻き付けられる。アーム８に順番に接続される二つのスポークがそのような摺動部品に接続される。それによって、摺動部品の上向きの移動において、二つのアーム８が上方に押し上げられて、当該移動を他の二つのアームに伝達するロッド７を押し出す。それによって、装置をオープンして、所望の寸法まで衣料品を伸張する。摺動部品は、所望の高さにおいて、ブロッキングシステムによって中央ロッドに固定され、装置のテンションを維持する。上述したシステムをより安定させるために、上側の一対のアームの上方に摺動部品−スポーク−アームユニットをも設けて、剛性部品によって、ユニットの下部をユニットの上部と接続することが可能であり、一方の摺動部品の移動のみで他方の摺動部品の移動も可能にし、それによって、ロッド７の牽引によってではなく推力によってアーム８の移動を得る。二つの摺動部品の間の接続は、中央ロッド１上とその中の両方において形成可能であり、例えば二つの摺動部品の間の接続としてバネを使用することができる。
【００６８】
「スピニングホイールオープン」：スピニングホイールオープンでは、外側の剛性ロッド７におけるアーム８の推力は、回転によってではなく水平な方向に作用する力によって生じる。その場合、アーム８は、ピンのその中間点においてピンにより二つずつ交差して二つのＸ字を形成する。各Ｘ字の一端は中央ロッド１に固定され、他端は中央ロッド１上を摺動することができる移動自在の部品に固定される。Ｘ字の他の二つの端部に関して、外側の剛性ロッド７上を摺動するように適用される二つの移動自在の部品にそれらを固定することができ、又は、一方は外側の剛性ロッドに固定されて、他方は再び同じロッドにおいて移動自在のままであってもよい。中間ロッド上に固定されている、Ｘ字の他点に向かう、中央ロッド１上の移動自在の部品の移動は、アームを外側に伸ばす移動を引き起こし、外側のロッドがプレスする物品の壁を押圧するのに要する推力を決定する。当然のことながら、移動自在の部品は、ロッドを好適に溝加工することで、中央ロッド１の内側に配置されることから、又は外側の剛性ロッドの内部に配置されることからも、可動性を達成し得る。また、アームの各個々の部分の長さを削減するためにいくつかのＸ字アームを並べて配置して、及び、移動を伝達するためにバネによっていくつかのＸ字アームを離間して、推力移動を引き起こすことも可能である。さらに、衣料品の側部を押圧するために、Ｘ字の外側端部に配置されるように適用される、弾性材料で作られる個々の半月形の部品と、各外側の剛性ロッド７を、置き換えることが可能である。
【００６９】
「短縮傘オープン」：これは、傘オープンとスピニングホイールオープンとの間の中間のものである。実際に、アーム８は傘モデルのように配置されるが、スピニングホイールタイプと同様に交差する。その結果、移動を可能にする溝は、プレスされる物品の側部と接触する外側のロッドに配置しなければならず、中央剛性ロッドには配置されない。他の態様に関して、操作は、傘モデルの操作に類似しており、チューブの下方部分を上向きに摺動させる。
【００７０】
「ダブル衣服ハンガオープン」：上記のものに類似する二つの折り畳み可能な衣服ハンガが、二つの異なるサイズであることもある、リング又はカウンターリングにより、このタイプのオープンにより、伸張するのに用いられる。第２衣服ハンガは、直交ロッドに取って代わる。従って、二つの衣服ハンガは、伸縮自在のポールのように長さが調節可能な中央ロッド、及び二つの衣服ハンガの四つの端部にピンで固定される、伸縮自在でもよい二つの剛性ロッドによって接合される。最適なプレス位置を探すように、プレスされる物品は一つの衣服ハンガに載置され、第２衣服ハンガは伸張する。第２衣服ハンガにおいて、ペグが使用され、当該ペグは、衣服ハンガ上を自在に移動するが、そのアームに定着してそのピン上で回転することができる。自在に摺動しピン上で回転することにより、衣服ハンガの様々な角度でも物品のテンションを保ち得るように、プレスされる物品から適正な距離にペグが配置されることが可能になる。ペグを衣料品に固定して衣服ハンガを突っ張ることにより、中央ロッド及び剛性ロッドは、中央ロッド上に配置されるブロッキングシステムによって固定されたままで、所望の長さまで伸張することができる。そのような伸張を決定した後、より良い調整のために、第２衣服ハンガをオープンして、適正な水平な方向の伸張を提供することもできる。
【００７１】
「バネオープン」：このオープンシステムの基づく原理は、ダブル衣服ハンガオープンとして記載したものと同じ原理であり、唯一の差異は、その最大の外向きの伸張まで衣服ハンガをオープンするのに役立つバネシステムが、衣服ハンガに採用されるリング及びカウンターリングシステムの代わりに使用されることである。バネによって与えられる推力は、水平な方向のプレスに対する伸張を決定する。
【００７２】
「Ｌ字型オープン」：図３Ａ〜３Ｃを参照して既に上に示す場合において、各アームは、中間部分に関節接合される二つのハーフアームを含み、当該中間部分には、（「Ｌ字型の」作用を伴う）関節接合部、例えば、逆移動継手が当該中間部分に配置される。移動制御手段によるアームのオープン／クローズは、中間継手に対して回転自在である二つのハーフアームの対称的な移動を介して生じ、中間継手は、中央ロッドに対して同様に移動する。
【００７３】
ｅ）垂直に伸張する変形例。
一実施の選択例において、下部直交ロッド４は、９０°の回転を可能にするように剛性ロッドに取り付けられた二つの支持体によって置き換えられる。プレスする物品を留める／固定するシステムを伴うロッドが、これらの支持体に結合される。衣料品が衣服ハンガに吊されて載置されると、二つの支持体が９０°回転し（「直角定規」移動）、固定システムは、吊された物品を把持する。回転により、二つの支持体がさらに回転することを防止し、これらの支持体を固定されたままにする。二つの支持体を下向きに摺動することによって、衣料品は伸張される。二つの支持体の摺動を剛性ロッドに固定した後、衣料品は完全に伸張されて／テンションをかけられ、プレス機能を実行するために、当該位置で静的に放置され得る。
【００７４】
さらなる実施の選択例において、追加で又は排他的に、垂直の（即ち、中央ロッドに対して平行な方向への）牽引は、主軸に直交して配置されたロッドに、又は二つのハーフロッドにより、得られるのではなく、物品の下部に接続されて、望ましくは、重みで押し下げられて求められる垂直の牽引を生じるペグを用いて、引き起こされる。
【００７５】
ペグを重みで押し下げるために異なる手段が使用されてもよい。前記手段は、重いペグを用いること、及び／又は、金属若しくは他の材料で作られる錘を軽いペグに適用して、加わる重力を増加させること、及び／又は、ペグに接続されるプラスチックバッグであって、前記バッグは、それ自体は軽量であり（輸送が容易であり）、砂、水、若しくは任意の場所で容易に入手可能な他の材料で満たすように適用されるバッグを使用すること、である。
【００７６】
ペグの形状は、好ましくは「細長いＴ字」である。Ｔ字の垂直部分は、ペグのオープン及びクローズのバネ機構を形成し、Ｔ字の水平な部分は、通常幅が数十センチメートル、長さが数センチメートルに及ぶので、布地上に載置されているときに、ペグは、大きな表面を占め、衣類の全体の下端にその重量を分散することができ、これにより衣類は、均一であるように引っ張られる。
【００７７】
少なくとも二つのペグが、この効果を得るために使用される。ペグの数は必ずしも二つに限定されるものではないが、与える選択重量及びプレスする形状のタイプによって変化し得る。
【００７８】
上記の全ての実施形態に関して、特定の機械移動は、材料の弾性特性によって置き換えることができることは注目に値する。例えば、側部アームは、材料の弾性を利用して衣類の側部に適用することができる、二つのフレームワーク構造によって又は弾性材料で作られる単一のフレームワーク構造によって、形成することができる。
【００７９】
さらに異なる実施例において、システムが与えることができる前述の牽引力の各々は、適切な方法で調整された簡素な弾性体によって代替的に決定することができる。
【００８０】
上述の装置に類似する一対の装置による、又は上述のシステムに結合し得る一対の追加の装置による（特に、図２を参照して示す）衣服の袖のためのプレス。
ａ）追加の装置の部品及び位置決め：機構の垂直中間軸を鏡映するように配置される上向きの湾曲を伴う二つの側部ローレットアーム２１。周囲の六つの円弧によって、二つの中空中間アーム２３ａに接続される、四つの斜めアーム２２。前記中間アーム２３ａの一方には係合溝が設けられることがあり、他方にはねじ用の溝により回転される。六つの円弧のうちの二つの中間円弧２３は、中間アームのキャビティにより、及び、四つの接続アーム２４は、二つの側部アームにより、孔開けされる。一方の端部に結合部が設けられ他方の端部にねじの回転（孔）が設けられる、ストリング、又は二重のストリング、又は二重の対のストリング、又は剛性ポール２６が、孔開けされた中間アーム２３の内部を通過して中間円弧２３ａに作られた孔を通過する。ストリング、又は二重のストリング、又は二重の対のストリングが用いられる場合は、図１を参照して上述した、衣服ハンガ２に結合されるように、側部ローレットアーム２１が湾曲している側部の一端又は複数の端部に、リングが固定され、その結果、機構のこの部分には、強固な結合が存在する。二つの中空中間アーム２３を交差するストリングの他方の端部は、続いて、結合自在のものであり、要求される伸張を衣料品の袖に与える。衣服ハンガに結合するように機能する結合リング２７に加えて、剛性ポール２６が代わりに用いられ、この場合に、中間アーム２３の端部に固定されるならば、当該ポールは、中間アーム２３において、結合リング２７により自在に回転するように係合されて、中間アーム２３のキャビティ及びねじ切り部分を通って、第２中空中間アーム２３の外側に突出する。好適には、装置は、当該ポールを単一物で形成することにより構成されるが、様々なアセンブルされた物品で構成されても、その操作には同等の効果がある。
【００８１】
ｂ）機能的側面：ボルト又はボルト溝を有する蝶ナットを、剛性ポール２６のねじ切り部分にねじ込むことによって、外側アーム２３の湾曲の反対側の中空中間ポールは押圧される。そのような推力は、斜めアーム２２へ、及びここから側部ローレットアーム２１へ伝達され、これによって、側部ローレットアーム２１は、布地に載置して所望の力でそれを突っ張る。ストリング、又は二重のストリング、又は二重の対のストリングを用いる場合も、上述と同じ原理を適用する。実際には、ストリングが突出する中空中間アーム２３に対して、当該ストリングの端部が擦れるように、当該ストリングの端部を引っ張って、結合リング２７が在る他の中間アーム２３に当該ストリングの端部を接近して移動させるか、又は、リング２３が載置する中間アームの反対側の中間アームから突出するストリングの二つの端部を延伸するか、のいずれかによって、移動は側部ローレットアーム２１まで伝達されて、当該ローレットアーム２１は、布地に載置し所望の力で突っ張る。ブロッキングシステムは、ストリングを適正なテンションの位置に保持する。機構の側部アーム２１に設けられるローレット加工は、布地が上向きに摺動するのを防止し、従って、垂直な方向にもプレスすることが可能である。この場合でさえも、繊維を垂直な方向にさらに良好に伸張するのに適切なペグを、使用してもよい。
【００８２】
ｃ）サイズの変形例：上述の追加の装置は、様々な手段のものであってもよく、場合によって、長袖又は半袖の衣服に適用するために、モジュールであってもよい。
【００８３】
ｄ）「ブラシ装置」を提供する、袖をプレスする追加の装置のさらなる実施の選択例を、本明細書に記載する。その場合、ブラシに類似するような非常に多数のプラスチック突起が、中間ポールに挿入される。それらの突起は、中間ポールを取り囲む、孔開けされたシリンダの孔を水平な方向に通る。中間ポールが例えば時計回りに回転すると、突起は孔開けされたシリンダから出てブラシの実質的な体積を拡張する一方で、前記ポールが反対方向に回転すると、突起は孔開けされたシリンダ内に格納されて、実質的な体積を減少させる。ブラシは最小体積でシリンダに入り込み得、当該体積は袖をプレスするように、袖の内壁において所望のテンションに達するまで増加する。プレスを向上させるために、突出部の先端を、平坦形状、例えば矩形に形成することが可能であり、その結果、押圧される表面はより大きくなり、そのことにより、完全に均一なプレスを提供することができる。このプレス方法は、袖にしわをプレスしたくない人に推奨される。垂直な方向にプレスするために、ブラシはストッパによって衣服ハンガに固定され、突出部を取り囲む外側のシリンダの孔に定着されたペグによって袖に固定される。
【００８４】
一実施形態において、通常のブラシ装置は、シリンダを伴わずに用いられ、突出部を布地に接触自在として布地へ押圧自在にする。
【００８５】
別の実施形態において、「羽毛」又は「フィッシュボーン」形状を有するブラシ装置が用いられてもよく、当該ブラシ装置は、弾性材料で作られる二つの剛性ロッドと端部を整合することができ、又は自由端部を任意のロッドの端部に抑え込ませないようにすることができる。当該ブラシが導入されると、中間ロッドは、当該ブラシの側部をより薄くなるように保持して、押圧され又は引っ張られる。導入された後、当該ブラシは、解放されて、それによって、自然に膨張してその外周は袖に密着して袖はプレスされる。
【００８６】
「羽毛」形状の場合において、羽毛の上部から導入されたブラシは解放されて、羽毛はオープンして、袖の布地に牽引力を生成する。
【００８７】
同じプレス方法は、パンツに用いることもできる。実際には、パンツのために十分に長いブラシを作成し、ブラシの端部を衣服ハンガに固定することによって、パンツを垂直な方向及び水平な方向の両方に突っ張ることができる。
【００８８】
パンツは「一対の袖」と見なすことができるので、上に示した追加のプレス装置を使用する、上述のプレス方法は、パンツをプレスすることにも適用できることは注目に値する。
【００８９】
好ましいことに、この場合において、パンツのウエストを水平に伸張するように適用される、衣服ハンガの端部に配置される、特定の突起を備える、上述の「折り畳み可能な衣服ハンガ」を使用することが可能である。中間にねじ孔を備える二つのプレートが、衣服ハンガのアーム上に配置されており、アーム上を摺動自在である。そのような孔は、ねじ山付きの突起によってクリップの直交する締め付けを可能にし、当該突起は、クリップの内側にねじ込まれる。さらに、衣服ハンガのアーム上に圧力を加えるように、従って、当該プレートを明確に規定された位置に固定するように、当該ねじ込みは、突起がねじ切りを締め付けてねじ切りを交差させることを可能にする。クリップの内側のねじ込みは、様々な水平オープンシステムを中間ポールに結合することを可能にする。さらに、ねじ込みは、垂直な方向のテンションを、単純に締め付けることによって調節することを可能にし、従って、中間ポールを伸ばすことを可能にする。当該垂直な方向の調節により、ズボンの底部に取り付けられたペグは、プレスするのに望ましい伸張で布地を垂直に突っ張る。
【００９０】
図４を参照して示す、スカート及びその他のタイプの衣類のプレス。
スカートをプレスするために、サイズの異なる、上述のタイプの二つの折り畳み可能な衣服ハンガが使用される。当該二つの衣服ハンガは、スカートの上部のための第１衣服ハンガ４１、及びスカートの下部のための第２衣服ハンガ４２である。二つの衣服ハンガは、伸縮自在のポールのように長さを調節することができる中間ポール４３と、衣服ハンガの各端部に位置する、同様に伸縮自在である、二つのさらなるポール４４とによって接合される。第１衣服ハンガ４１をスカートのウエスト部分に、第２衣服ハンガ４２をスカートの下部に結合した後、適正なテンションを維持するようにアームをオープンすることによって、及び上述の衣服ハンガのリング及びカウンターリングシステムによって、それらはオープンする。ペグはスカートに固定されて、当該ペグは、衣服ハンガ４１及び４２のアーム上にあり、前記アーム上を自在に摺動してそのピン上で自在に回転する。自在に摺動しピン上で回転することにより、スカートから適正な距離にペグを配置することができ、衣服ハンガの様々な角度でも伸張が可能になる。この操作が行われると、適正なテンションを垂直に与えるように伸縮自在のアームが伸張し、よって、スカートなどの台形の形状でも衣服をプレスするのに要する水平−垂直の牽引力を得る。
【００９１】
襟と袖のプレス。
襟をプレスするために、同様に袖をプレスするために、二つの剛性モールドが使用され、当該モールドは、Ｕ字形状で他方上に一方を完全に連結自在であり、外側の剛性モールドの先端は、一旦重なり合うと動かないような方法で重なり合いに対して十分な抵抗力により適合するように端部は内側に面する。両方の剛性モールドは、吸収性材料及び呼吸性材料によって、又は空気が循環するように剛性形状部を布地から離したままにすることを可能にする小さい突起によって、被覆され、一方で、布地をプレスするために襟又は袖への特定の圧力を常時に維持する。内側の剛性モールドは、襟の場合には、衣服ハンガに結合することができるクリップの先端に、袖の場合には、伸張するために要求される中間ポールに、設けられる小さいロッドによって、そのシート内に保持することができる。
【００９２】
ボタンの部分のプレス。
シャツとポロシャツに対して、ボタン孔及びボタンに近接する部分をプレスするという問題が生じる。
【００９３】
シャツに関して、二つの半剛性のプラスチックのストリップが、衣料品のトルソの一部を伸張する中間ポールの下部上のピンに（又は回転を可能にする別の接続部に）固定される。他方のストリップの下側に固定されるストリップは平らであり、（プレスされる衣料品を正面から見て）右手側の端部にＵ字の結合部を備える。他方のストリップは平らであるが、右手端部でそれ自体上で湾曲し、（前述右手端部の反対の）左手端部にＵ字の結合部を有する。平らなストリップは、支点上で時計回りに回転し、シャツの端部に至るまでボタン孔上に配置されて、それによって、中間ポールに対して当該ボタン孔を圧迫してプレスする。ボタン孔をブロックするために、開口部が（横方向にも）衣服ハンガに設けられ、開口部はストリップがそこを通過することを可能にし、開口部のギャップを通過した後、当該ストリップは湾曲し、平らなストリップの右側に「Ｕ字」の端部を活用する固定システムを介して、当該ストリップを中間ポールに結合することができる。平らなストリップは、支点上で反時計回りに回転し、ボタンの側部に曲面を伴って位置し、それによって当該ボタンを整列させたままにする。ボタン孔をブロックするために、ストリップは、前述のように、衣服ハンガと同じ開口部内を通され、これにより、当該ストリップは当該開口部を通過することができて、開口部を通過した後、湾曲することができて、平らなストリップの左側に「Ｕ字」の端部を活用する固定システムを介して、当該ストリップを中間ポールに結合することができる。
【００９４】
一方のストリップと他方のストリップの両方のために、二重のギャップが衣服ハンガに作成されてもよく、このとき、当該ギャップにより、ストリップの通過の後、平らなストリップをボタン孔に対してプレスしたままにすることができ、又はクランプが使用されてもよい。
【００９５】
一方で、ボタンをプレスするために、ボタン及びボタン孔が中間ロッドに載置しているときにそれらを外向きに押圧するように適用される、湾曲したハウジングが半月形状に作られるように、メインロッドを作成し又は形成することが可能である。ボタン及び（ボタン孔又はボタンを含む布地の折り畳まれた部分である）ボックスプリーツは、このように、広がって、メインロッド上に作成される又は形成される湾曲したハウジングと互いに貫通し合う形状に形作られるロッドによって組み込まれてプレスされ、そのような第２ロッドは、布地（ボックスプリーツ）を圧迫して、それをプレスするように、突っ張って水平なテンションをかける。そのような二重のロッドシステムは、また、ボックスプリーツと衣類の側部との間に含まれる布地の、改良された水平な方向の伸張を可能にし、それによって、改良されたプレスを得ることができる。
【００９６】
第１ロッドを組み込む第２ロッドは、剛性を有しても又は第１ロッド上に巻かれてもよいが、巻尺のように展開されてもよい。
【００９７】
しかしながら、当該第２ロッドは製造されて、剛性の相互貫通が存在するように、上部と底部の両方においてメインロッドに結合されなければならない。
【００９８】
類似の効果は、また、メインロッド上に作成可能で、かつ剛性の、若しくは展開自在の、又は伸縮自在の、中空Ｕ字形状ロッドが重なり合う、二重の溝（ボタン孔とボタンの両方、及びボックスプリーツの一部を含むのに十分な幅）を介して得ることができ、その結果、当該中空Ｕ字形状ロッドのＵ字形状のエッジは、メインロッド上でくり抜かれたトラックと一致する。これによって、ボックスプリーツの圧迫は達成され、溝の間で圧迫された部分のプレスを可能にし、溝の外側の部分とプレスされる衣類の側部との間に含まれる布地の牽引力を増加させることも可能にする。
【００９９】
別の可能な方法は、ボタンを内に挿入するのに十分に近接し十分に数多くあるハウジングを伴うストリップ又はバンドを、プレスの推進力として、用いる。上部と下部の両方でメインロッドに定着するこのバンドは、ハウジングを介してボタンの間に挿入することができる。ハウジングの数が多いことにより、ボタンとボタンとの間に種々のスペースを有することが可能であり、単一のバンドにより、多様なシャツを十分にプレスすることができる。
【０１００】
ハウジングとハウジングとの間に生成される伸張は、ボックスプリーツをプレスするのに役立ち、衣類の側部の側部ロッドの単純な牽引では極めて困難であるそのような領域のプレスを可能にする。
【０１０１】
注目され得るように、本発明の目的は、記述の特徴に照らして上述のシステムによって達成される。
【０１０２】
実際に、適切な伸張を施したときに所望の形状を呈し、乾燥後に時間とともにその形状を維持する、湿潤した又は湿気を帯びた衣料品の特性を利用することによって、本発明に係るシステムは、衣類を吊して、電気エネルギの補助なしに機械牽引移動のみによって（実際には、太陽光及び環境熱を利用して）乾燥して同時にプレスしたままとすることを可能にする。
【０１０３】
さらに、乾燥後に衣料品を伸張したままにすることによって、当該衣料品を圧迫する他の物品と接触する場合でさえも、皺がよらないことが注目される。従って、本発明のシステムは、衣料品に皺をよせることなく衣類をワードローブに戻し、使用後に整理するのにも適している。
【０１０４】
上に示した技術的な効果及び利点は、衣料品を伸張して最適な形状のままにすることができる適正な伸張／テンションを生成するように互いに協働する、レバー、可撓性のロッド、定着具、及び回転移動体のアセンブリを考慮する、詳細に上述した構造的特徴によるシステムによって得られる。
【０１０５】
さらに、好適な実施形態において、システムにより課せられる牽引移動は、衣料品の緯糸及び経糸を伸張する水平及び垂直のラインによって生じる。湿潤した又は湿気を帯びた衣類で牽引が実施されるときに、繊維は伸張されて、乾燥プロセスの間にそれらは元の位置にセットされ、そのことによって、そのプレスを確かなものにする。機械牽引は、上述の方法によって、物品のサイズに従ってそれを伸張するのに最適なやり方で、配置されるレバーを用いて生じる。
【０１０６】
最終的に達成される結果は、システム上で衣類を伸張することを除いて電気エネルギを要さずケアを要しない、効果的なプレスである。
【０１０７】
同じ発明の概念に含まれるシステムの様々な実施形態は、その仕立てによって物品が有する様々な形状に適用するために提供された。様々な実施形態において、システムは、トルソ、ズボン、袖、スカートのための衣料品のプレスを可能にする。袖、パンツ、又はスカートをプレスする装置は、独立して又は組み合わせて各々使用することができる。システムの残りの部分と相補的であり、従って、それに付加することができる二つの構造は、襟及び袖をプレスするように、及びボタンをプレスするように適用される。全体として、本発明に係るシステムは非常に多目的に利用でき、主要なプレスのニーズを完全に満たすことができる。
【０１０８】
当業者であれば、衣類を伸張して乾燥してプレスするシステムの上述の実施形態に、いくつかの変更及び適用を行うことができ、要素を、周知技術とも関連する機能的に等価である他のものに置き換えることができ、それによって、以下の請求項の範囲から逸脱することなく、不測のニーズを満たすために、混成の実施形態を創出することもできる。可能な実施形態に属するように記載した特徴の各々は、記載した他の実施形態と関わりなく達成することができる。さらに、用語「含む（ｃｏｍｐｒｉｓｉｎｇ）」は、他の要素又はステップを排除するものではなく、用語「一つ（ｏｎｅ）」は、複数を排除するものではないことも注目に値する。さらに、図面は必ずしも縮尺通りではない。これに反して、本発明の原理の例示を概して与えることが重要である。
【図１】
2018502676.tif 000003
【図２】
2018502676.tif 000004
【図３Ａ】
2018502676.tif 000005
【図３Ｂ】
2018502676.tif 000006
【図３Ｃ】
2018502676.tif 000007
【図４】
2018502676.tif 000008
【国際調査報告】
2018502676.tif 000009
2018502676.tif 000010